(57)【要約】      （修正有）【課題】アイスバーンのような滑りやすい状況を含む様々な状況に対応できる靴用滑り止め具を提供する。【解決手段】第１パッド１０と、第２パッド２０と、第１パッドと第２パッドとを装架する装架部３０，４０と、第１パッド及び第２パッドを靴に係止する帯状部６０と、を備え、第１パッドと第２パッドは、略対向する位置に設けられ、第１パッドの両面のうち、第２パッドと対向しない方の面に、第１の滑り止め部１１が設けられ、第２パッドの両面のうち、第１パッドと対向しない方の面に、第１の滑り止め部より滑り止め効果の高い第２の滑り止め部２１が設けられ、装架部は、略筒状であり、帯状部は、略筒状の装架部を靴の爪先方向から挿入した状態で、第１パッド又は第２パッドが靴底に位置するように、靴の踵近傍に係止される。【選択図】図３
0003184484.tif 000002
【実用新案登録請求の範囲】
【請求項１】
靴用滑り止め具であって、
第１パッドと、
第２パッドと、
前記第１パッドと前記第２パッドとを装架する装架部と、
前記第１パッド及び前記第２パッドを前記靴に係止する帯状部と、を備え、
前記第１パッドと前記第２のパッドとは、略対向する位置に設けられ、
前記第１パッドの両面のうち、前記第２のパッドと略対向する面ではない面に、第１の滑り止め部が設けられ、
前記第２のパッドの両面のうち、前記第１パッドと略対向する面ではない面に、前記第１の滑り止め部より滑り止め効果の高い第２の滑り止め部が設けられ、
前記装架部は、前記第１パッドと、前記第２のパッドとを装架して、略筒状を形成し、
前記帯状部は、前記略筒状を前記靴の爪先方向から挿入した状態で、前記第１パッドの両面のうち前記第２のパッドと略対向する面、又は、前記２のパッドの両面のうち前記第１パッドと略対向する面が、前記靴の靴底に当接するように、前記靴の踵近傍に係止されること
を特徴とする靴用滑り止め具。
【請求項２】
請求項１に記載の靴用滑り止め具であって、
前記帯状部は、長手方向の中央近傍に舌状部を有し、前記舌状部の凸部が、前記靴の靴底方向又は前記靴底の逆方向を向くように、反転可能に設けられること
を特徴とする靴用滑り止め具。  
【考案の詳細な説明】
【技術分野】
【０００１】
本考案は、靴用滑り止め具に関するものである。
【背景技術】
【０００２】
靴に脱着可能な靴用滑り止め具が存在する。特許文献１には、ゴム製の基盤（１）の最前列に爪先部（２）、列ねて前の接地部（３）、接地部の両脇から細くしたＨ型の土踏まず部（４）を伸ばして踵部（５）に繋ぎ、踵部の後方には支柱部（６）を設け、その先端に厚くした踵の把手（７）を設け、その把手と支柱部の間に踵を縛る０字型ストッパー（９）を掛けて保持するＬ字突起（８）を支柱部の上部に設け、前の接地部と踵部を厚くして接地面全面に溝（１０）を施し、接地部中央付近の最接地部に複数個のスパイク鋲（１１）を地面と直角に先端を接地面と同一かそこより内部に埋め込んで固定した靴に着脱する滑り止め具が記載されている。
【先行技術文献】
【特許文献】
【０００３】
【特許文献１】特開2009-268794号公報
【考案の概要】
【考案が解決しようとする課題】
【０００４】
靴用の滑り止め具が必要な状況は様々である。特許文献１に記載の靴用滑り止め具は、スパイク鋲を地面と直角に先端を接地面と同一、又は、接地面より内部に埋め込んで固定している。従って、例えばアイスバーンの路面等のような滑りやすい状況では、特許文献１に記載の滑り止め具では十分に機能しない。
【０００５】
本考案はこのような事情に鑑みてなされたもので、様々な状況に対応できる靴用滑り止めを提供することを目的とする。
【課題を解決するための手段】
【０００６】
上記課題を解決するために、例えば、靴用滑り止め具であって、第１パッドと、第２パッドと、前記第１パッドと前記第２パッドとを装架する装架部と、前記第１パッド及び前記第２パッドを前記靴に係止する帯状部と、を備え、前記第１パッドと前記第２のパッドとは、略対向する位置に設けられ、前記第１パッドの両面のうち、前記第２のパッドと略対向する面ではない面に、第１の滑り止め部が設けられ、前記第２のパッドの両面のうち、前記第１パッドと略対向する面ではない面に、前記第１の滑り止め部より滑り止め効果の高い第２の滑り止め部が設けられ、前記装架部は、前記第１パッドと、前記第２のパッドとを装架して、略筒状を形成し、前記帯状部は、前記略筒状を前記靴の爪先方向から挿入した状態で、前記第１パッドの両面のうち前記第２のパッドと略対向する面、又は、前記２のパッドの両面のうち前記第１パッドと略対向する面が、前記靴の靴底に当接するように、前記靴の踵近傍に係止されることを特徴とする。
【考案の効果】
【０００７】
本考案の技術によれば、様々な状況に対応できる靴用滑り止めを提供することができる。上記以外の課題、構成および効果等は、以下の実施形態の説明により明らかにされる。
【図面の簡単な説明】
【０００８】
【図１】本実施形態の靴用滑り止め具の上面図の例である。
【図２】靴用滑り止め具の底面図の例である。
【図３】靴用滑り止め具の側面図の例である。
【図４】靴用滑り止め具を靴に装着した模式図の例である。
【図５】靴用滑り止め具を靴に装着した模式図の例である。
【図６】第１のスパイクの一例である。
【図７】第２のスパイクの一例である。
【図８】靴用滑り止め具の一部の断面図である。
【図９】靴用滑り止め具の一部の断面図である。
【図１０】他の実施形態の靴用滑り止め具の上面図の例である。
【図１１】他の実施形態の靴用滑り止め具の底面図の例である。
【考案を実施するための形態】
【０００９】
以下、本考案の一実施形態を、図面を参照して詳細に説明する。以下の説明では、同じものに対しては同じ符号を付与し説明を省略する。
【００１０】
図１〜３は、本実施形態の靴用滑り止め具１の一例を説明する図である。靴用滑り止め具１は、一部を除き、例えば軟性樹脂等により成型される。図１は、靴用滑り止め具１の上面図、図２は靴用滑り止め具１の底面図、図３は靴用滑り止め具１の側面図の例である。なお、ここでは、説明の便宜上、図１を上面図、図２を底面図というが、詳細を後述するように、本実施形態の靴用滑り止め具１は、どちらが上面であるか底面であるかを問わないものである。
【００１１】
図１〜３に一例を示すように、靴用滑り止め具１は、第１パッド１０、第２パッド２０、第１装架部３０、第２装架部４０、係止部５０、帯状部６０等を有する。靴用滑り止め具１は、例えば、靴サイズ２３ｃｍ〜２７ｃｍの使用者が装着可能なものである。
【００１２】
第１パッド１０及び第２パッド２０は滑り止め機能を提供するためのものである。図３に一例を示すように、第１パッド１０及び第２パッド２０は略対向する位置に設けられる。
【００１３】
図１〜３に一例を示すように、第１パッド１０及び第２パッド２０は、第１パッド１０及び第２パッド２０の各々の前方（靴爪先方向）部に設けられた第２装架部４０により装架される。また、第１パッド１０及び第２パッド２０は、第１パッド１０及び第２パッド２０の各々の側部に設けられた第１装架部３０により装架される。このように形成されることにより、第１パッド１０、第２パッド２０及び第１装架部３０は、筒状部を形成する。
【００１４】
帯状部６０は、係止部５０により第１装架部３０に係止される。帯状部６０は帯状を成す。本実施形態では、帯状部６０は、帯状部６０の長手方向の中央近傍に舌状部６１を有する。
【００１５】
靴用滑り止め具１を靴に装着した模式図の例を図４、５に示す。図４は、側面図の例であり、図５は、底面図の例である。なお、図４、５では、説明の簡略化のために、靴用滑り止め具１の一部の構成を省略して示している。
【００１６】
使用者は、第１パッド１０、第２パッド２０及び第１装架部３０により形成される筒状部に靴Ｓを爪先から挿入することで、靴用滑り止め具１を装着する。第２装架部４０は、靴Ｓの爪先近傍に位置し、第１装架部３０は、靴Ｓの甲中心近傍の側面に位置するように装着される。
【００１７】
帯状部６０は、靴Ｓの爪先から挿入した靴用滑り止め具１を、靴Ｓの踵近傍で係止する。使用者は、帯状部６０を靴Ｓの踵近傍に係止する際に、舌状部６１を上方向（地面とは反対方向）に引っ張り上げることができる。これにより、帯状部６０の踵近傍への係止を容易とすることができる。
【００１８】
第１パッド１０の両面のうち第２パッドと略対向する面と、第２パッド２０の両面のうち第１パッドと略対向する面との各々は、いずれも、靴底に当接することが可能である。即ち、図４、５の符号で示すように、靴底には、第１パッド１０が当接する場合と、第２パッド２０が当接する場合とがある。使用者は、求める滑り止め機能の強弱により、第１パッド１０と第２パッド２０とのいずれかを靴底に当接させることができる。
【００１９】
ここで、第１パッド１０、第２パッド２０について詳細に説明する。
【００２０】
図１、３に一例を示すように、第１パッド１０は、第１滑り止め部１１を有する。また、図２、３に一例を示すように、第２パッド２０は、第２滑り止め部２１を有する。第１滑り止め部１１と第２滑り止め部２１との差異は、一方の滑り止め機能が、他方の滑り止め機能より高い点である。ここでは、第２滑り止め部２１のほうが、第１滑り止め部１１より滑り止め効果が高い場合の例を説明する。
【００２１】
第１滑り止め部１１は、複数の第１スパイク１２を有する。ここでは、第１滑り止め部１１には、第１スパイク１２が３つ設けられるものとする。
【００２２】
第１スパイク１２の一例を図６に示す。第１スパイク１２は、任意の硬質材料で形成され、ここでは、金属で形成されているものとする。また、図６に一例を示すように、第１スパイク１２は、座１２１と、突出部１２２とを有する。
【００２３】
第１スパイク１２は、突出部１２２が、第２パッド２０と略対向する面とは逆方向を向くように、換言すれば、靴用滑り止め具１の外側を向くように、第１パッド１０の成型時等に埋め込まれる。
【００２４】
また、第１滑り止め部１１は、滑り止め機能を実現する構成として、上記第１スパイク１２の他に、第１領域１３等を有する。第１領域１３は、任意の形状を成す凹部及び凸部の組み合わせから成り、第１パッド１０の成型と同時に形成される。
【００２５】
第２滑り止め部２１は、複数の第２スパイク２２を有する。ここでは、第２滑り止め部２１には、第２スパイク２２が３つ設けられるものとする。
【００２６】
第２スパイク２２の一例を図７に示す。第２スパイク２２は、任意の硬質材料で形成され、ここでは、金属で形成されているものとする。第２スパイク２２は、ネジ部２２１と、突出部２２２とを有する。
【００２７】
第２スパイク２２は、突出部２２２が、第１パッド１０と略対向する面とは逆方向を向くように、換言すれば、靴用滑り止め具１の外側を向くように、ネジ部２２１が第２パッド２０にねじ組み付けされる。
【００２８】
突出部２２２は、スパイクの機能を持たせるための突出形状と共に、任意の工具等により第２スパイク２２をネジ組み付け可能な形状を有する。ネジ組み付け可能な形状は特に限定しないが、ここでは、マイナスドライバーで組み付け可能な略矩形の凹形状を有する例を示している。
【００２９】
また、第２滑り止め部２１は、滑り止め機能を実現する構成として、上記第２スパイク２２の他に、第２領域２３等を有する。第２領域２３は、任意の形状を成す凹部及び凸部から成り、第２パッド２０の成型と同時に形成される。
【００３０】
ここで、第１スパイク１２及び第２スパイク２２について説明する。
【００３１】
上記のように、第１滑り止め部１１には第１スパイク１２が３つ設けられている。３つの第１スパイク１２は、図１に一例を示すように、第１滑り止め部１１に、３つの位置関係が、略三角形を形成するように設けられる。即ち、３つの第１スパイク１２のうち、１つの第１スパイク１２が爪先方向に対して頂点を成し、残りの２つの第１スパイク１２が、踵方向に対する頂点を成す。
【００３２】
この３つの第１スパイク１２から形成される略三角形は、略二等辺三角形であることが好ましい。この場合、例えば、爪先方向に対して頂点を成す１つの第１スパイク１２が略二等辺三角形の頂角であり、踵方向に対する頂点を成す残り２つの第１スパイク１２が略二等辺三角形の底角であるとよい。また、この略二等辺三角形は、頂角から底辺への垂線が、靴Ｓに靴用滑り止め具１を装着して歩行する際の進行方向と略平行であると良い。
【００３３】
この略二等辺三角形を成す３つの第１スパイク１２の具体的な位置関係は特に限定するものではないが、例えば、図１に一例を示すように、底辺長さをａ、高さをｈとすると、ａ＝３２ｍｍ程度、ｈ＝３２ｍｍ程度等が考えられる。
【００３４】
また、上記のように、第２滑り止め部２１には第２スパイク２２が３つ設けられている。３つの第２スパイク２２の位置関係は、上記第１スパイク１２と同じである。即ち、爪先方向に対して頂角を成す１つの第２スパイク２２と、踵方向に対する底角を成す残り２つの第２スパイク２２との位置関係は、例えば、ａ＝３２ｍｍ程度、ｈ＝３２ｍｍ程度等である。
【００３５】
上記のように、第１スパイク１２、第２スパイク２２の各々は、１つが爪先方向に対して頂点を成し、残りの２つが踵方向に対する頂点を成す略三角形を形成されるように設けられる。このような位置関係とすることで、雪道やアイスバーン、泥道、濡れた植物の上等のような滑りやすい場所を歩行等する場合でも、効率よく地面等を捉えることができる。
【００３６】
上記のような位置関係にある第１スパイク１２、第２スパイク２２の各々は、踵方向に対する頂点を成す２つの第１スパイク１２、第２スパイク２２の各々が、図４、５に一例を示すように、甲部分に相当する靴底の中央付近に位置するように設けられる。即ち、歩行の際に地面等の接地面に最も荷重がかかる場所近傍に、進行方向に対し略垂直に２つの第１スパイク１２、第２スパイク２２の各々を設ける。これにより、地面等の接地面を蹴り上げる際等に、突出部１２２、２２２の各々が地面等に食い込み、より滑り止め効果が向上させることができる。
【００３７】
図８は、図１のＡＡ断面の一例である。図８に一例を示すように、突出部１２２の第１滑り止め部１１表面からの突出量ｈ１は、突出部２２２の第２滑り止め部２１表面からの突出量ｈ２より小さい。即ち、「ｈ１＜ｈ２」である。また、図８に一例を示すように、第１スパイク１２の略中心は、第２スパイク２２の略中心と、任意の間隔をあけて略一致する。
【００３８】
使用者は、例えば、濡れた石床や雪道では第１パッド１０を靴底に当接させて装着する。また、アイスバーン等のより滑りやすい場所では第２パッド２０を靴底に当接させて装着する。なお、ここでは、突出量ｈ１は、ゼロ近傍である例を示している。これにより、大理石やカーペット等を歩行等する場合でも、第１スパイク１２による傷等を低減することが可能となる。
【００３９】
なお、第１スパイク１２は、第１パッド１０に埋め込まれるものとしたが、滑り止め機能を実現するために第１パッド１０に設けられれば良く、その手段は特に限定しない。例えば、第２スパイク２２と同様に、ネジ組み付けされてもよい。
【００４０】
同様に、第２スパイク２２は、第２パッド２０にネジ組み付けされるものとしたが、滑り止め機能を実現するために第２パッド２０に設けられれば良く、その手段は特に限定しない。例えば、第１スパイク１２と同様に、第２パッド２０の成型時等に埋め込まれてもよい。
【００４１】
また、第１領域１３及び第２領域２３は、同じ凹部形状及び凸部形状により滑り止め機能を実現してもよく、異なっていてもよい。即ち、滑り止め機能を実現する形状、構成等は任意である。
【００４２】
図１〜図３を参照して係止部５０及び帯状部６０について説明する。
【００４３】
上記のように、使用者は、帯状部６０を靴Ｓの踵近傍に係止する際、舌状部６１を上方向に引っ張り上げる。従って、靴用滑り止め具１の装着の際には、舌状部６１の凸部は、上方向（地面の反対方向）であるほうが装着のし易さという観点から好ましい。そこで、帯状部６０は、舌状部６１の凸部方向が上下に反転可能なように、第１装架部３０と脱着可能に構成される。
【００４４】
上記のように、帯状部６０は係止部５０により第１装架部３０と係止されるので、本実施形態では、係止部５０は、第１装架部３０及び帯状部６０のうち少なくとも一方と脱着可能であるように構成される。
【００４５】
図１〜３の例では、係止部５０は、略Ｃ字形状であり、略Ｃ字形状の一方の曲部５１が、第１装架部３０に形成された孔３１に係止され、他方の曲部５２が、帯状部６０の端部近傍に形成された孔６２に係止される。
【００４６】
孔３１、孔６２の断面図の一例を図９に示す。図９に一例を示すように、孔３１、孔６２の各々は、開口部周囲のみ厚さをｔ分厚くしている。これにより、孔３１、孔６２の各々の強度を高めることができる。
【００４７】
なお、図１〜３の例では、係止部５０は略Ｃ字形状であるものとしたが、形状・構成等はこれに限定するものではない。例えば、略Ｓ字形状でもよく、また、他の任意の構成でもよい。また、上記のように、係止部５０は、第１装架部３０及び帯状部６０のうち少なくとも一方と脱着可能であれば良く、例えば、係止部５０の一方の端部近傍のみ鉤状を形成し、他方の端部近傍は第１装架部３０又は帯状部６０に任意の手段で固定等されていてもよい。
【００４８】
以上、本実施形態を説明したが、靴用滑り止め具１は上記に限るわけではなく、他の形態でもよい。
【００４９】
具体的には、例えば、上記実施形態では、スパイクにより、滑り止め機能の程度を異なるものにしているが、滑り止め機能の強弱を実現する技術は上記に限らない。例えば、第１パッド１０及び第２パッド２０の両方に、かならずしもスパイクを用いる必要はない。軟性樹脂の構成、即ち第１領域１３及び第２領域２３のみで上記滑り止め機能の強弱を実現してもよく、また、第１領域１３及び/又は第２領域２３と、スパイクとを組み合わせることで、滑り止め機能の強弱を実現してもよい。
【００５０】
また、図６、７では、第１スパイク１２の有する突出部１２２は４つであり、スパイク１３の有する突出部２２２は１つである例を示しているが、突出部１２２、突出部２２２の数は任意でよく、複数でも単数でもよい。
【００５１】
また、第１滑り止め部１１及び第２滑り止め部２１の形状等は任意であり、上記に図示等するものに限るわけではない。また、第１領域１３及び第２領域２３の各々の凹部及び凸部の位置、形状、数等は、第１領域１３と第２領域２３とで異なっていてもよく、同じであってもよい。
【００５２】
第１滑り止め部１１、第２滑り止め部２１、第１領域１３等の他の例を説明する。図１０は靴用滑り止め具１´の上面図、図１１は靴用滑り止め具１´の底面図の例である。図１０において、第１領域１３´は、略矩形及び略Ｌ字形状の凸部を有する場合の例である。また、図１０に一例を示す第１滑り止め部１１´、及び、図１１に一例を示す第２滑り止め部２１´の各々は、図１に一例を示す第１滑り止め部１１、及び、図２に一例を示す第２滑り止め部２１の各々より面積が広い。これは、より滑り止め機能を高めたい場合や、足の大きな人に対し特に有効である。
【００５３】
また、帯状部６０が係止される位置は、必ずしも第１装架部３０である必要はない。帯状部６０が係止される位置は、第１パッド１０及び第２パッド２０を靴に係止であればよく、例えば第１パッド１０及び/又は第２パッド２０や、その他任意の位置でもよい。
【００５４】
また、舌状部６１の凸部方向が、靴底方向又はその逆方向を向くように反転可能であればよく、そのための構成として、帯状部６０は、第１装架部３０と必ずしも脱着可能に構成されていなくてもよい。具体的には、例えば、帯状部６０が柔軟性のある材料で形成されていれば、帯状部６０をねじることで反転させてもよく、必ずしも、係止部５０のような、反転可能とする構成を設けなくてもよい。また、係止部５０は、帯状部６０及び/又は第１装架部３０と脱着可能である必要はなく、例えば、係止部５０が上下方向（靴底方向又はその逆方向）と略垂直な軸を中心として回転可能な回転軸等を有し、その回転軸等により帯状部６０が反転可能である構成でもよい。
【００５５】
また、帯状部６０は、必ずしも反転可能とする構成を設けなくてもよい。例えば、帯状部６０は、２つの舌状部６１を有し、そのうち１つの舌状部６１の凸部は靴底方向を向いており、他方の舌状部６１の凸部は靴底の逆方向を向いているように構成されていてもよい。
【００５６】
以上、本考案を実施の形態に基づき具体的に説明したが、本考案は前記実施の形態に限定されるものではなく、その要旨を逸脱しない範囲で種々変更可能であることはいうまでもない。例えば、上記の実施例は本考案を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００５７】
１：靴用滑り止め具、１０：第１パッド、２０：第２パッド、３０：第１装架部、４０：第２装架部、５０：係止部、６０：帯状部、１１：第１滑り止め部、１２：第１スパイク、１３：第１領域、２１：第２滑り止め部、２２：第２スパイク、２３：第２領域、３１：孔、５１：曲部、５２：曲部、６１：舌状部、６２：孔
【図１】
0003184484.tif 000003
【図２】
0003184484.tif 000004
【図３】
0003184484.tif 000005
【図４】
0003184484.tif 000006
【図５】
0003184484.tif 000007
【図６】
0003184484.tif 000008
【図７】
0003184484.tif 000009
【図８】
0003184484.tif 000010
【図９】
0003184484.tif 000011
【図１０】
0003184484.tif 000012
【図１１】
0003184484.tif 000013